(57)【要約】【課題】格納場所と使用場所とを異ならせ、使い勝手の良い状態でトレイを使用することができるようにする。【解決手段】ドアトリム９の膨出部９９に格納されるとともに、その壁面に回転運動可能なように支持され、かつ、長手方向にスライドレール部１２を有するベース部材１と、ベース部材１に設けられたスライドレール部１２に沿って移動するように形成されたスライド部材２と、平板状の形態からなるものであって、その一端側が、スライド部材２のスライド方向に対して略直角方向に展開可能なように支持されるトレイ部材３と、これらトレイ部材３、スライド部材２、ベース部材１を上記膨出部９９に設けられた開口部９１から突出させるように付勢する付勢手段５と、からなる。【選択図】図１
2006224835.tif 000002
【特許請求の範囲】
【請求項１】
ドアトリムとドアインナパネルとの間に格納されるとともに必要に応じて上記ドアトリムに設けられた開口部のところから車室内側へ引出すことのできるように形成された自動車用ドアトリムトレイ装置において、上記ドアトリムの壁面の所定の場所にその一端が当該ドアトリムの壁面に沿って回転運動可能なように支持されるものであって所定の長さのスライドレール部を有するベース部材と、当該ベース部材に設けられた上記スライドレール部に沿って移動するように装着されるスライド部材と、平板状の形態からなるものであって、その一端側が、上記スライド部材に、当該スライド部材のスライド方向に対して略直角方向に展開可能なように支持されるトレイ部材と、上記ベース部材とドアトリムとの間に設けられるものであって、上記トレイ部材、スライド部材、及びベース部材を上記ドアトリムに形成された上記開口部から車室内へ突出させるように付勢する付勢手段と、からなるようにしたことを特徴とする自動車用ドアトリムトレイ装置。
【請求項２】
請求項１記載の自動車用ドアトリムトレイ装置において、上記ベース部材が上記付勢手段にて上記開口部から突出した状態において上記ベース部材のそれ以上の回転運動を規制するように形成された回転止め機構を上記ドアトリム及び上記ベース部材に設けるとともに、上記スライド部材は、上記ベース部材が開口部から突出した状態において上記スライド部材に取付けられた上記トレイ部材が上記ベース部材の回転中心点を基点にして上記回転止め機構とは反対側の位置に来るようにスライド移動することのできるようにしたことを特徴とする自動車用ドアトリムトレイ装置。
【請求項３】
請求項１または請求項２記載の自動車用ドアトリムトレイ装置において、上記スライド部材を、上記ベース部材に設けられたスライドレール部内をスライド移動するスライド駒を有する構成からなるようにするとともに、当該スライド駒を、上記スライドレール部内に嵌り込んでスライド移動するスライドシューを有する構成からなるようにし、一方、このようなスライドシューが嵌り込んでスライド移動するスライドレール部に、上記スライドシューの一部がラチェット係合するように形成された係止部を設けるようにした構成からなることを特徴とする自動車用ドアトリムトレイ装置。
【請求項４】
請求項１ないし請求項３のいずれかに記載の自動車用ドアトリムトレイ装置において、上記トレイ部材は、上記ベース部材に設けられたスライドレール部のスライド方向と平行に形成された直線状の折り目部を有する複数枚のプレートにて形成される折りたたみ構造からなるようにするとともに、上記折り目部には所定の回転力を加えない限り各プレートが展開しないように形成された保持機構を有するヒンジ機構が設けられるようにした構成からなることを特徴とする自動車用ドアトリムトレイ装置。
【発明の詳細な説明】
【技術分野】
【０００１】
本発明は、車室内にてカップ等の小物品を載置するための自動車用室内トレイ装置に関するものであり、特に、当該トレイ装置を不使用時にはドアトリム内に格納しておくとともに、必要に応じて車室内へ取出して使用に供することのできるようにした格納式の自動車用ドアトリムトレイ装置に関するものである。
【背景技術】
【０００２】
従来のこの種のものとしては、例えば特開２００１−２７７９２４号公報記載のもの等が挙げられる。このものは、アームレスト等を形成するドアトリムの車室内側膨出部の裏側にトレイを形成するテーブル状部材が予め収納されており、これらを、使用時には上記収納されている膨出部の開口部から引出すとともに、このように引出されたテーブル状部材を車室内側へ展開させてカップ搭載用のトレイを形成させるようにしているものである。
【特許文献１】特開２００１−２７７９２４号公報
【発明の開示】
【発明が解決しようとする課題】
【０００３】
ところで、上記従来のもの（公知のもの）は、アームレストを形成するドアトリムの車室内側への膨出部内に、プレート状のテーブル及び当該テーブルを車室内側へ展開させるときに当該テーブルを支える役目を果たす支持板等が格納されるようになっているものである。そして、このようなテーブル及び支持板を上記膨出部に設けられた開口部を経由して車室内へ出没させるとともに、この開口部から突出させた状態において、上記テーブルを車室内側へ展開させるようにしているものである。なお、この従来のものにおいては、上記テーブル及び支持板の格納される位置と、これらを取出して車室内側へテーブルとして展開させる位置とが、車室の前後方向において同じ位置に限定されてしまうこととなる。その結果、ドアトリムの構造上、上記テーブル等の格納される場所が決まってしまうと、テーブルの展開される位置、すなわち、車室内における前後方向位置が決まってしまうこととなる。そして、この位置は、使用者（着座者）にとっては必ずしも使い勝手の良い位置とは限らないと言う問題点がある。また、展開されたテーブルの下方部には、ドアウインドウガラス昇降用の操作ボタン等が存在する場合があり、テーブル展開時において、これら操作ボタンの操作性を阻害してしまうと言う問題点がある。このような問題点を解決するために、上記テーブル（トレイ）等の格納される位置と、当該テーブル（トレイ）を車室内側へ展開させて使用する場合の位置とを、車室の前後方向において異ならせ、使用者にとって使い勝手のよい自動車用ドアトリムトレイ装置を提供しようとするのが、本発明の目的（課題）である。
【課題を解決するための手段】
【０００４】
上記課題を解決するために、本発明においては次のような手段を講ずることとした。すなわち、請求項１記載の発明である第一の発明においては、ドアトリムとドアインナパネルとの間に格納されるとともに必要に応じて上記ドアトリムに設けられた開口部のところから車室内側へ引出すことのできるように形成された自動車用ドアトリムトレイ装置に関して、上記ドアトリムの壁面の所定の場所にその一端が当該ドアトリムの壁面に沿って回転運動可能なように支持されるものであって所定の長さのスライドレール部を有するベース部材と、当該ベース部材に設けられた上記スライドレール部に沿って移動するように装着されるスライド部材と、平板状の形態からなるものであって、その一端側が、上記スライド部材に、当該スライド部材のスライド方向に対して略直角方向に展開可能なように支持されるトレイ部材と、上記ベース部材とドアトリムとの間に設けられるものであって、上記トレイ部材、スライド部材、及びベース部材を上記ドアトリムに形成された上記開口部から車室内へ突出させるように付勢する付勢手段と、からなるようにした構成を採ることとした。
【０００５】
また、請求項２記載の発明である第二の発明においては、請求項１記載の自動車用ドアトリムトレイ装置に関して、上記ベース部材が上記付勢手段にて上記開口部から突出した状態において上記ベース部材のそれ以上の回転運動を規制するように形成された回転止め機構を上記ドアトリム及び上記ベース部材に設けるとともに、上記スライド部材は、上記ベース部材が開口部から突出した状態において上記スライド部材に取付けられた上記トレイ部材が上記ベース部材の回転中心点を基点にして上記回転止め機構とは反対側の位置に来るようにスライド移動することのできるようにした構成を採ることとした。
【０００６】
また、請求項３記載の発明である第三の発明においては、請求項１または請求項２に記載の自動車用ドアトリムトレイ装置に関して、上記スライド部材を、上記ベース部材に設けられたスライドレール部内をスライド移動するスライド駒を有する構成からなるようにするとともに、当該スライド駒を、上記スライドレール部内に嵌り込んでスライド移動するスライドシューを有する構成からなるようにし、一方、このようなスライドシューが嵌り込んでスライド移動するスライドレール部に、上記スライドシューの一部がラチェット係合するように形成された係止部を設けるようにした構成を採ることとした。
【０００７】
また、請求項４記載の発明である第四の発明においては、請求項１ないし請求項３のいずれかに記載の自動車用ドアトリムトレイ装置に関して、上記トレイ部材は、上記ベース部材に設けられたスライドレール部のスライド方向と平行に形成された直線状の折り目部を有する複数枚のプレートにて形成される折りたたみ構造からなるようにするとともに、上記折り目部には所定の回転力を加えない限り各プレートが展開しないように形成された保持機構を有するヒンジ機構を設けるようにした構成を採ることとした。
【発明の効果】
【０００８】
第一の発明によれば、本トレイ装置の格納位置と、トレイ部材を車室内側へ展開させて使用するときの位置とを、それぞれ自由に設定することができるようになる。すなわち、本トレイ装置の格納場所は、ドアトリムの車室内側への膨出部等であってドアインナパネルとの間に形成されるデッドスペースとなっているようなところに設定することができるとともに、これをドアトリムから突出させて車室内側へ展開させるに当っては、上記スライド部材を介して上記トレイ部材を乗員（着座者）にとって都合の良い位置へと移動させることができるようになる。このように、本発明のものにおいては、トレイ装置の格納場所と、トレイ装置の使用場所とを異ならせ、使用者の使い勝手の良い状態を形成させるようにしているものである。
【０００９】
また、第二の発明によれば、ベース部材を初めとして本トレイ装置を、ドアトリムに設けられた開口部から突出させた状態において、ベース部材は簡単な構造の回転止め機構と係合するようになっているので、ベース部材は、それ以上の回転が止められることとなる。また、このような状態において、上記ベース部材上に設置されるトレイ部材をスライド部材とともに後方へ移動させることによって、ベース部材の回転中心点を基点にして、上記ベース部材に加わる回転モーメントは上記回転止め機構のところで受け止められることとなり、上記ベース部材、スライド部材、及びトレイ部材の回転運動方向の位置決めがなされることとなる。このようにしてトレイ部材の水平状態が保持されることとなる。すなわち、トレイ部材を初めとした本トレイ装置全体の展開時における水平状態が簡単な回転止め機構のみによって保持されることとなる。
【００１０】
また、第三の発明によれば、上記ベース部材が上記開口部から引出された状態において、トレイ部材並びに当該トレイ部材の取付基盤をなすスライド部材を上記スライドレール部に沿ってスライド移動させることによって、トレイ部材の位置を本トレイ装置の格納されている位置とは別の位置へと移動させることができるようになる。また、このような所定の位置へと移動させた状態において、上記スライド部材を形成するスライド駒のところに設けられたスライドシューを上記スライドレール部内に設けられた係止部のところに係合させることによって、その車室内における前後方向の位置決めを確実に行わせることができるようになる。そして更に、このような係止部を上記スライドレール部のスライド方向において複数箇所に設けておくことによって、着座者の体格等に合わせた状態で適宜位置に上記トレイ部材を設置することができるようになる。また、このようなトレイ部材の車室内における前後方向位置決め操作は、上記スライドシューとスライドレール部内に設けられる係止部との間の係合方式がラチェット係合構造を採るようになっていることより、トレイ部材を上記スライドレール部に沿って前後方向へ操作することによって簡単に行なわせることができるようになる。
【００１１】
また、第四の発明によれば、上記トレイ部材は、複数枚のプレートからなる折りたたみ構造を採るようにしたので、格納時には上記各プレートを折りたたんだ状態で格納部に格納することができるようになり、ドアトリム裏面側に形成される格納スペースをあまり広く採らなくとも良いようになる。そして、このように折りたたまれた状態の各プレートを使用時には展開させることによって、トレイ部を広く形成させることができるようになる。なお、このような折りたたみ状態から展開状態へと変換させるに当っては、上記折り目部には保持機構付きのヒンジ機構が設けられるようになっていることより、折りたたまれて格納されている状態から本トレイ装置が車室内側へ取出された（引出された）状態においては、上記折りたたまれた状態のトレイ部材は、その折りたたまれた状態が保持されることとなり、トレイ部材が不意に倒れたり、あるいは各プレートが不意に展開したりするようなことがない。
【発明を実施するための最良の形態】
【００１２】
本発明を実施するための最良の形態について、図１ないし図９を基に説明する。本実施の形態にかかるものは、図１に示す如く、ドアトリム９とドアインナパネル（図示せず）との間、主にドアトリム９に設けられた車室内側への膨出部９９のところに格納されるとともに必要に応じて上記ドアトリム９の膨出部９９のところに設けられた開口部９１のところから車室内側へ引出すことのできるように形成された車両用ドアトリムトレイ装置に関するものである。そして、その基本的な構成は、上記膨出部９９の壁面の所定の場所に、その一端がＯ1点を支点として回転自在なように支持されるとともに、上記膨出部９９の壁面に沿って回転運動可能なように支持され、かつ、所定長さのスライドレール部１２を有するベース部材１と、当該ベース部材１に設けられた上記スライドレール部１２内をスライド移動するように形成されたスライド部材２と、平板状の形態からなるものであって、その一端側が、上記スライド部材２に、当該スライド部材２のスライド方向に対して略直角な面内にて展開可能なように支持されるトレイ部材３と、これらトレイ部材３、スライド部材２、及びベース部材１を上記ドアトリム９の膨出部９９に形成された上記開口部９１から車室内側へ飛び出させるように作動する付勢手段であるトーションコイル状のスプリング５と、からなることを基本とするものである。
【００１３】
なお、このような基本構成からなるものにおいて、本ドアトリムトレイ装置には、本ドアトリムトレイ装置が図１に示すような格納状態にあるときには、上記ベース部材１に設けられたロック爪１１が係合して本ドアトリムトレイ装置全体を格納状態に保持するとともに、このような格納状態時において、本ドアトリムトレイ装置を形成する上記トレイ部材３の一方の端部のところを下方に押し込むように操作することによって上記ロック爪１１の係合を解除させて上記ドアトリムトレイ装置全体を上記開口部９１のところから飛び出させるように作動する既存の浮出ラッチ機構６が、上記ドアトリム９の膨出部９９の側壁等に設けられるようになっている。
【００１４】
このような基本構成からなるものにおいて、上記ベース部材１は、図１に示す如く、凹溝状のスライドレール部１２を有するチャンネル状の部材からなるものであって、その一端側には突起状の軸部１５が設けられるようになっており、この軸部１５が、本実施の形態においては、ドアトリム９の膨出部９９のところに取付けられるブラケット７または上記膨出部９９の側壁等に形成された軸受部７１のところに装着されるようになっているものである（図２参照）。このように、ベース部材１の一端側に形成された軸部１５が軸受部７１のところに回転自在なように支持されることによって、ベース部材１は軸部１５の中心点であるＯ1点を支点にして上記ブラケット７を介して上記ドアトリム９に設けられた膨出部９９の側壁のところに回転自在なように取付けられることとなる。また、このようなベース部材１の長手方向の略中央部のところには、突起部１３が設けられるようになっている。この突起部１３は、本ドアトリムトレイ装置全体が、図５及び図６に示す如く、膨出部９９の開口部９１から飛び出した状態において、上記ブラケット７または上記膨出部９９の側壁等に形成されたストッパ７７と係合するようになっているものである。そして、これら突起部１３及びストッパ７７の係合作用によって、本ドアトリムトレイ装置全体及び上記ベース部材１のそれ以上の回転運動を規制する回転止め機構が形成されるようになっているものである。
【００１５】
また、このようなベース部材１の下面側には、本ベース部材１を初めとした本ドアトリムトレイ装置全体を図１に示すような格納状態から図５及び図６に示すような突出状態へと作動させるときに、当該突出状態への付勢力を与える役目を果たすスプリング５の一方の端部５１が係合するようになっているものである。すなわち、ベース部材１の下面側にはスプリング係合部１４が設けられるようになっているものである。このような構成を採ることによって、上記ベース部材１に設けられたロック爪１１が上記浮出ラッチ機構６のところから開放されると、上記ベース部材１は、上記スプリング５のバネ反力によってＯ1点を支点にして時計方向回りに回転運動をし、これによって、本ドアトリムトレイ装置全体は、図５及び図６に示すように、膨出部９９の開口部９１のところから上方へと突出するようになる。また、このような構成からなる本ベース部材１のスライドレール部１２のところには、その長手方向において、複数個所にわたって、例えば図３及び図４に示すような係止部１６が設けられるようになっている。この係止部１６は、後に述べるスライド駒２１の一部がラチェット係合するように形成されているものであり、本スライドレール部１２に嵌り込んでスライド移動するスライド駒２１のスライド移動方向に対して段違い状に切欠かれているとともに、この段違い状に切欠かれた面が上記スライド移動方向に対してわずかの傾斜角（θ）を有するようになっているものである。なお、この傾斜角（θ）の値としては、本実施の形態においてはスライド部材２の係止または移動の容易性を考慮して約３°の角度が採られるようになっている。
【００１６】
次に、このような構成からなる凹溝状のスライドレール部１２のところに嵌り込んで当該スライドレール部１２内をスライド移動するスライド部材２について説明する。このものは、基本的には、図２に示すような棒状の部材からなるものであって、その長手方向の一方の端部のところには上記スライドレール部１２内に嵌り込んで当該スライドレール部１２内をスライド移動するように形成されたスライド駒２１が一体的に設けられるようになっているものである。そして、このスライド駒２１には、図２及び図３に示す如く、横断面形状において左右対称形を成すように横方向に張り出した形態からなるスライドシュー２１１、２１２が設けられるようになっているものである。なお、このスライドシュー２１１、２１２は、例えば図３及び図４に示す如く、その側面視において略矩形状の形態からなるものであり、このような矩形状の形態からなる二つのスライドシュー２１１、２１２が一直線上に並んだ状態で設けられるとともに、これら二つのスライドシュー２１１、２１２がスライドレール部１２内に嵌り込んでスライド移動するようになっているものである（図３参照）。そして、このようなスライドシュー２１１、２１２のうちの一方のもの（２１２）の端面２１２ｅが、図３の（Ｂ）に示すように、スライドレール部１２内に設けられた切欠状の係止部１６のところに係合するようになっているものである。なお、このスライドシュー２１１、２１２に関しては、本実施の形態においては、矩形状のものが２個、それぞれの側面部に設けられるようになっているが、必ずしもこのような２個タイプのものに限定されるものではなく、細長状の矩形形状からなる１個のスライドシューを有するような構成からなるものであっても良い。
【００１７】
また、このような構成からなるスライド部材２には、例えば図２に示す如く、後に述べるトレイ部材３を回転自在なように保持するヒンジ機構８の一部を形成するベアリング部２２が設けられるようになっているものである。このベアリング部２２は、具体的には、その横断面形状が略矩形状の外観形態を有するとともに、その内周面は略円形状の形態を有し、更に、その一部には切欠き部を有する略コ字状の形態を有するようになっているものである。そして、このような形態からなる上記切欠き部からトレイ部材３の一方の端部に設けられた軸部３１１が挿入されるとともに、上記略円形状をなすように形成されたベアリング部２２の内周面に嵌め込まれるようになっているものである。このように、ベアリング部２２のところに軸部３１１が嵌まり込むことによってスライド部材２とトレイ部材３を形成する第一のプレート３１との間にはヒンジ機構８が形成されることとなる。
【００１８】
次に、上記ヒンジ機構８を介してスライド部材２上に展開可能なように取付けられるトレイ部材３について説明する。このものは、基本的にはプレート状の部材からなるものであって、本実施の形態においては、図１及び図２に示す如く、収納（格納）されたときにおける省スペース化を図る観点から二つ折り状のもの、具体的には、第一のプレート３１及び第二のプレート３２の２枚構成からなるものが採られている。このような構成からなるものにおいて、第一のプレート３１の一方の端部のところには、例えば図２に示す如く、ヒンジ機構８の一部を形成する軸部３１１が設けられるようになっており、この軸部３１１は上記スライド部材２に設けられるものであって一部が開いた形態からなるベアリング部２２のところに、簡単な操作にて嵌め込むことができるようになっているものである。このようにヒンジ機構８は、図２に示す如く、スライド部材２のところに設けられる略３／４円からなるベアリング部２２のところに、上記第一のプレート３１の一端部に設けられた軸部３１１が嵌まり込むことによって形成されるようになっているものである。そして、このようにして形成されたヒンジ点（中心点Ｏ2）を支点にして上記トレイ部材３並びに当該トレイ部材３を形成する第一のプレート３１は上記スライド部材２に対して相対回転運動が可能なように、すなわち展開が可能なように支持されることとなる（図８参照）。
【００１９】
このような構成からなるものにおいて、本ヒンジ機構８を形成するコ字状のベアリング部２２の、その外側のところには、図２、図７、及び図８に示すような突起状の節度感付与部２２２が設けられるようになっている。この節度感付与部２２２は、図８に示す如く、ベアリング部２２の外形部のところに、ヒンジ点（Ｏ2）を基点とした一般半径（Ｒ1）の値よりも小さな値の半径（Ｒ2）を有するものであって、半径方向に突出した形態を有する突起部からなるものである。このような節度感付与部２２２が、図２及び図７に示す如く、コ字状のベアリング部２２の外表面部に複数個設けられるようになっているものである。
【００２０】
このような節度感付与部２２２が設けられることによって、トレイ部材３（３１，３２）は、通常は、図１及び図７に示す如く、トレイ部材３を形成する第一のプレート３１の下端面３１２が上記節度感付与部２２２に係合することによって上記第一のプレート３１を基礎にして上記スライド部材２上に直立した状態で保持されることとなり、トレイ部材３並びに当該トレイ部材３を形成する第一のプレート３１等は不意に倒れたりするようなことがない。一方、このように直立した状態のトレイ部材３を展開させるに当っては、上記直立した状態のトレイ部材３あるいは折りたたまれて直立状態に保持された第一のプレート３１等の上端部のところをもって図８の矢印方向に回転させることによって、第一のプレート３１の下端面３１２のところが、上記節度感付与部２２２のところを相互に弾性変形させた状態で乗り越えることとなる。その結果、図８の二点鎖線図示の如く、第一のプレート３１等は水平方向に展開される（拡げられる）こととなる。
【００２１】
そして、このような構成からなる本トレイ部材３は、図１及び図２に示す如く、第一のプレート３１及び第二のプレート３２の２枚構成からなるものであり、これらの２枚のプレート３１、３２は、通常は折りたたみ機構３５１を介して二つ折り状に折りたたまれた状態で収納（格納）されるようになっているものである。なお、このような構成からなるトレイ部材３を形成する第一のプレート３１の裏面側には、図６に示すようなポケット３９が設けられるようになっている。このポケット３９は、ネット等からなるものであり、トレイ部材３が、例えば図６に示す如く、ドアトリム９の開口部９１のところから引出されて、所定の位置へとスライド移動させられた状態において、更に、本トレイ部材３が直立状態に保持されている場合において、小物品等を適宜収納することができるようになっているものである。このような構成からなる上記折りたたみ機構３５１は、図９に示す如く、２枚のプレート３１、３２のそれぞれの一端側に設けられたボス部３１５、３２５のところに、所定の角度だけ相対回転運動が可能なように取付けられるリンク３５を基礎に形成されるようになっているものである。このリンク３５は、図９に示す如く、上記ボス部３１５、３２５の嵌り込む二つ目状の係合穴３５５、３５５を有するとともに、当該係合穴３５５、３５５のところには、それぞれ１８０°対称形をなす位置に相対向するように爪３５６、３５６が設けられるようになっているものである。
【００２２】
一方、このような係合穴３５５、３５５と係合するように形成された上記ボス部３１５、３２５のところには、これも１８０°対称形をなす位置に相対向するように扇形の形態からなるストッパ部３１６、３２６が設けられるようになっている。そして、このような構成からなるリンク３５に設けられた爪３５６、３５６と、第一のプレート３１及び第二のプレート３２のそれぞれに設けられたストッパ部３１６、３２６とが、それぞれ１８０°相対回転運動をした状態で係合し合うようになっているものである。すなわち、トレイ部材３を形成する各プレート３１、３２が折りたたまれた状態にあるときには、図９の（Ａ）の状態を形成するとともに、このような状態から２枚のプレート３１、３２が水平状態に展開されたときには、図９の（Ｂ）の状態を形成することとなる。このように、本折りたたみ機構３５１は、２枚のプレート３１、３２が折りたたまれた状態にあるとき（図９の（Ａ））、並びに１８０°廻って２枚のプレート３１、３２が水平方向に展開されたとき（図９の（Ｂ））においても、リンク３５に設けられた爪３５６と各プレート３１、３２のボス部３１５、３２５に形成されたストッパ部３１６、３２６とが係合し合うようになっているものである。その結果、２枚のプレート３１、３２は、折りたたまれた状態及び展開された状態のいずれの場合においても、各ストッパ部３１６、３２６と爪３５６とが係合し合って固定された状態で保持されることとなる。
【００２３】
このような構成からなる本実施の形態のものについての作動態様、特に、本ドアトリムトレイ装置の使用状態への展開作動について、図１、図５、及び図６を基に説明する。まず、図１に示す如く、ドアトリム９の膨出部９９のところに格納されている状態の本ドアトリムトレイ装置を形成するトレイ部材３の一部を、例えば指先などで下方（矢印方向）へと押し込むように操作する。そうすると、ベース部材１に設けられたロック爪１１が、当該ロック爪１１の係合している浮出ラッチ機構６のところから解放される。これと同時に付勢手段を形成するスプリング５のバネ反力作用によってベース部材１はＯ1点を支点にして時計方向回りに回転モーメントを受けることとなる。その結果、本ドアトリムトレイ装置全体は、膨出部９９のところに設けられた開口部９１のところから上方部へと突出して来ることとなる。そして、図５に示すような突出状態となる。そして、このとき、ベース部材１に設けられた突起部１３がブラケット７あるいは膨出部９９の側壁等に設けられたストッパ７７のところに係合して、ベース部材１並びに当該ベース部材１を基礎とする本ドアトリムトレイ装置全体のそれ以上の突出（膨出部９９の開口部９１からの突出）が規制されることとなる。
【００２４】
このような状態において、次に、図５に示す如く、スライド部材２並びに当該スライド部材２上に直立状態で搭載されているトレイ部材３を、図５の矢印図示方向に引張って、これらを後方へスライド移動させる。なお、このとき、スライド部材２に設けられたスライド駒２１は、図３に示す如く、ベース部材１に設けられたスライドレール部１２に嵌まり込んで、当該スライドレール部１２内をスライド移動が可能なように組付けられていることより、上記図５の矢印図示方向への操作によって、上記スライド駒２１は、図３の（Ａ）状態から（Ｂ）状態へと円滑に移動（スライド移動）することとなる。そして、図３の（Ｂ）状態へと移動したスライド駒２１は、当該スライド駒２１のところに形成されたスライドシュー２１１、２１２のうちの一方のもの（２１２）が上記スライドレール部１２のところに設けられた段違い状に切欠かれた係止部１６のところに係合するようになる。具体的には、図４の（Ａ）に示す如く、係止部１６のところへとスライド移動して来たスライドシュー２１２は、スライド部材２並びに当該スライド部材２上に搭載されるトレイ部材３の自重により下方へと下がるとともに、このとき、上記一方のスライドシューの端面２１２ｅが段違い状に形成された係止部１６のところに係合するようになる。これによって、上記スライド駒２１並びにスライド部材２上に搭載されるトレイ部材３の前後方向の位置決めがなされることとなる。その結果、トレイ部材３は、例えば図６に示すような状態（位置）に設置されることとなる。
【００２５】
なお、このような係止部１６は、ベース部材２を形成するスライドレール部１２の長手方向の適宜箇所に複数個設けられるようになっているので、乗員（着座者）は、自己の体格等に合せて、適当な位置に、上記スライド駒２１を係止させることができる。すなわち、トレイ部材３の前後方向位置を自由に設定することができるようになる。なお、図６に示す如く、トレイ部材３が後方に引出された状態においては、ベース部材１には、スライド部材２並びに当該スライド部材２上に搭載されるトレイ部材３の自重（Ｗ）により、ベース部材１には、当該ベース部材１の軸部１５に形成される回転中心点（Ｏ1点）を支点とした時計方向回りの回転モーメントが作用することとなる。しかしながら、ベース部材１には突起部１３が設けられているとともに、当該突起部１３は膨出部９９の側壁あるいはブラケット７に設けられるストッパ７７と係合するようになっているので、上記回転モーメントは、ここのところで受け止められ、上記ベース部材１を初めとした本ドアトリムトレイ装置全体は、図６の状態で確実に保持されることとなる。なお、このような状態において、上記トレイ部材３が直立状態にある場合においては、本トレイ部材３は、例えば図７、及び図８に示す如く、突起状の節度感付与部２２２にて保持されるようになっているので、トレイ部材３は安定した状態で直立状態が保持されることとなる。その結果、トレイ部材３を形成する第一のプレート３１の裏面側に設けられたポケット３９のところに小物品等を入れておくことができるようになる。
【００２６】
次に、このような状態において、直立した状態のトレイ部材３を、例えば図７及び図８に示す如く、横方向へ９０°回転させる（倒す）とともに、トレイ部材３を形成する２枚のプレート３１、３２を、例えば図９に示す如く、水平方向に拡げる（展開させる）。これによって、乗員（着座者）にとって最適な位置において水平方向に拡げられたトレイ部材３が形成されることとなる。
【図面の簡単な説明】
【００２７】
【図１】本発明の全体構成並びに本発明にかかるドアトリムトレイ装置の格納状態を示す斜視図である。
【図２】本発明にかかる主要構成部品を示す展開斜視図である。
【図３】本発明の主要部をなすスライド部材のスライドレール部内でのスライド移動状態を示す説明図である。
【図４】スライド部材を形成するスライド駒のスライドレール部に設けられた係止部への係合状態を示す説明図である。
【図５】本ドアトリムトレイ装置が膨出部の外側へ突出した状態を示す斜視図である。
【図６】本ドアトリムトレイ装置が所定の位置に引出された状態を示す斜視図である。
【図７】スライド部材とトレイ部材との間に形成されるヒンジ機構の全体構成を示す斜視図である。
【図８】ヒンジ機構の作動態様を示す説明図である。
【図９】トレイ部材を形成する２枚のプレート間に設けられた折りたたみ機構の構成並びその作動態様を示す説明図である。
【符号の説明】
【００２８】
１  ベース部材
１１  ロック爪
１２  スライドレール部
１３  突起部
１４  スプリング係合部
１５  軸部
１６  係止部
２  スライド部材
２１  スライド駒
２１１  スライドシュー
２１２  スライドシュー
２１２ｅ  端面
２２  ベアリング部
２２２  節度感付与部
３  トレイ部材
３１  第一のプレート
３１１  軸部
３１２  下端面
３１５  ボス部
３１６  ストッパ部
３２  第二のプレート
３２５  ボス部
３２６  ストッパ部
３５１  折りたたみ機構
３５５  係合穴
３５６  爪
３９  ポケット
５  スプリング（付勢手段）
５１  端部
６  浮出ラッチ機構
７  ブラケット
７１  軸受部
７７  ストッパ
８  ヒンジ機構
９  ドアトリム
９１  開口部
９９  膨出部
【図１】
2006224835.tif 000003
【図２】
2006224835.tif 000004
【図３】
2006224835.tif 000005
【図４】
2006224835.tif 000006
【図５】
2006224835.tif 000007
【図６】
2006224835.tif 000008
【図７】
2006224835.tif 000009
【図８】
2006224835.tif 000010
【図９】
2006224835.tif 000011